(57)【要約】  本発明は、観察者の視野内で情報を表現するためのヘッドアップディスプレイデバイスに関連する。上記ヘッドアップディスプレイデバイスは、少なくとも１つの投影デバイスと、入射する光ビームが偏向される少なくとも１つの偏向要素を含む偏向デバイスと、センサデバイスと、制御デバイスとを備える。上記センサデバイスは、上記偏向デバイスへ入射する少なくとも１つのテストビームのデータを検出するために使用される。上記制御デバイスは、上記偏向デバイスにより引き起こされる少なくとも１つの収差を判定するため、及び、実時間で少なくとも１つの補正信号を判定するために使用される。【選択図】図２
2021505952.tif 000002
【特許請求の範囲】
【請求項１】
観察者の視野内で情報を表現するためのヘッドアップディスプレイデバイスであって、
少なくとも１つの投影デバイスと、
入射する光ビームが偏向される少なくとも１つの偏向要素を含む偏向デバイスと、
前記偏向デバイスへ入射する少なくとも１つのテストビームのデータを検出するためのセンサデバイスと、
前記偏向デバイスにより引き起こされる少なくとも１つの収差を判定し、実時間で少なくとも１つの補正信号を判定するための制御デバイスと、
を備えるヘッドアップディスプレイデバイス。
【請求項２】
請求項１に記載のヘッドアップディスプレイデバイスであって、少なくとも１つの変調デバイスが提供され、前記少なくとも１つの変調デバイスは、前記観察者の方向に向けられた信号ビームの前記少なくとも１つの補正信号での実時間での前記補正のために提供される、ことを特徴とする、ヘッドアップディスプレイデバイス。
【請求項３】
請求項１又は２のいずれか１項に記載のヘッドアップディスプレイデバイスであって、前記投影デバイスは、前記少なくとも１つの補正信号での実時間での信号ビームの補正のために提供され、前記投影デバイスのために提供されるホログラムのホログラム計算のケースにおいて、前記少なくとも１つの補正信号を含めることができる、ことを特徴とする、ヘッドアップディスプレイデバイス。
【請求項４】
請求項１〜３のいずれか１項に記載のヘッドアップディスプレイデバイスであって、前記偏向デバイスの前記少なくとも１つの偏向要素は、フロントガラスとして設計される、ことを特徴とする、ヘッドアップディスプレイデバイス。
【請求項５】
請求項１〜４のいずれか１項に記載のヘッドアップディスプレイデバイスであって、前記偏向デバイスの前記少なくとも１つの偏向要素は、波長選択的又は角度選択的となるように設計される、ことを特徴とする、ヘッドアップディスプレイデバイス。
【請求項６】
請求項１〜５のいずれか１項に記載のヘッドアップディスプレイデバイスであって、前記少なくとも１つの偏向要素は、体積格子として、又は基板へ取り付けられた体積格子として設計される、ことを特徴とする、ヘッドアップディスプレイデバイス。
【請求項７】
請求項１〜３のいずれか１項に記載のヘッドアップディスプレイデバイスであって、前記偏向デバイスは、少なくとも２つの偏向要素を含む、ことを特徴とする、ヘッドアップディスプレイデバイス。
【請求項８】
請求項７に記載のヘッドアップディスプレイデバイスであって、前記少なくとも２つの偏向要素は、体積格子として設計される、ことを特徴とする、ヘッドアップディスプレイデバイス。
【請求項９】
請求項７に記載のヘッドアップディスプレイデバイスであって、前記少なくとも２つの偏向要素のうちの一方は体積格子として設計され、前記少なくとも２つの偏向要素のうちの他方はミラー要素として設計される、ことを特徴とする、ヘッドアップディスプレイデバイス。
【請求項１０】
請求項１〜３のいずれか１項に記載のヘッドアップディスプレイデバイスであって、前記少なくとも１つの偏向要素は、誘電レイヤを有するレイヤスタックとして設計される、ことを特徴とする、ヘッドアップディスプレイデバイス。
【請求項１１】
請求項１〜１０のいずれか１項に記載のヘッドアップディスプレイデバイスであって、前記投影デバイスは、少なくとも１つの光源と、少なくとも１つの空間光変調デバイスと、光学系と、を有する照明デバイスを含む、ことを特徴とする、ヘッドアップディスプレイデバイス。
【請求項１２】
請求項１１に記載のヘッドアップディスプレイデバイスであって、前記空間光変調デバイスへホログラムが符号化される、ことを特徴とする、ヘッドアップディスプレイデバイス。
【請求項１３】
請求項１〜１２のいずれか１項に記載のヘッドアップディスプレイデバイスであって、前記投影デバイスは、信号ビームを発し及び少なくとも１つのテストビームを発するために提供される、ことを特徴とする、ヘッドアップディスプレイデバイス。
【請求項１４】
請求項１〜１３のいずれか１項に記載のヘッドアップディスプレイデバイスであって、前記少なくとも１つの変調デバイスは、前記少なくとも１つの投影デバイスと前記偏向デバイスとの間の前記ビーム経路内に配置され、前記少なくとも１つの変調デバイスは、判定された前記少なくとも１つの補正信号に応じて入射する信号ビームを変調する少なくとも１つの変調要素を含む、ことを特徴とする、ヘッドアップディスプレイデバイス。
【請求項１５】
請求項１〜１４のいずれか１項に記載のヘッドアップディスプレイデバイスであって、前記少なくとも１つの変調デバイスは、前記少なくとも１つの補正信号を前記変調デバイスへ送信する前記制御デバイスによって制御可能である、ことを特徴とする、ヘッドアップディスプレイデバイス。
【請求項１６】
請求項１〜１５のいずれか１項に記載のヘッドアップディスプレイデバイスであって、前記少なくとも１つの変調デバイスは、液晶を含む位相変調器として設計され、前記液晶の向きは、局所的な電場によって制御可能である、ことを特徴とする、ヘッドアップディスプレイデバイス。
【請求項１７】
請求項１６に記載のヘッドアップディスプレイデバイスであって、前記液晶は、複数のセルで提供され、前記液晶のセルは、前記少なくとも１つの変調デバイスにおいて回転対称に配置される、ことを特徴とする、ヘッドアップディスプレイデバイス。
【請求項１８】
請求項１〜１５のいずれか１項に記載のヘッドアップディスプレイデバイスであって、前記少なくとも１つの変調デバイスは、反射型で設計され、好適にはＭＥＭＳ変調デバイスとして設計される、ことを特徴とする、ヘッドアップディスプレイデバイス。
【請求項１９】
請求項１〜１８のいずれか１項に記載のヘッドアップディスプレイデバイスであって、前記センサデバイスは、前記観察者の前記視野の外側に配置される、ことを特徴とする、ヘッドアップディスプレイデバイス。
【請求項２０】
請求項１〜１９のいずれか１項に記載のヘッドアップディスプレイデバイスであって、前記センサデバイスは、シャックハルトマンセンサの原理に従って設計され、又は前記少なくとも１つのテストビームの前記検出のためのカメラとして設計される、ことを特徴とする、ヘッドアップディスプレイデバイス。
【請求項２１】
請求項１〜１９のいずれか１項に記載のヘッドアップディスプレイデバイスであって、前記センサデバイスは、前記偏向デバイスの熱応力及び／又は機械的応力を測定するために提供される、ことを特徴とする、ヘッドアップディスプレイデバイス。
【請求項２２】
請求項１〜１９のいずれか１項に記載のヘッドアップディスプレイデバイスであって、前記偏向デバイスの面上又は面内に光パターンを生成するために、光パターン投影系が提供される、ことを特徴とする、ヘッドアップディスプレイデバイス。
【請求項２３】
請求項１〜２２のいずれか１項に記載のヘッドアップディスプレイデバイスであって、前記偏向デバイス上に複数のマーカが提供され、前記マーカの位置がカメラによって判定可能である、ことを特徴とする、ヘッドアップディスプレイデバイス。
【請求項２４】
請求項１〜２３のいずれか１項に記載のヘッドアップディスプレイデバイスであって、前記少なくとも１つのテストビームは、前記信号ビームとは異なる波長を有する、ことを特徴とする、ヘッドアップディスプレイデバイス。
【請求項２５】
請求項２４に記載のヘッドアップディスプレイデバイスであって、前記少なくとも１つのテストビームは、赤外波長範囲内の波長を有し、前記信号ビームは、可視光波長範囲内の波長をそれぞれ有する、ことを特徴とする、ヘッドアップディスプレイデバイス。
【請求項２６】
請求項１〜２５のいずれか１項に記載のヘッドアップディスプレイデバイスであって、テスト投影デバイスとして設計されるさらなる投影デバイスが提供され、前記テスト投影デバイスは、前記少なくとも１つのテストビームを発するために提供される、ことを特徴とする、ヘッドアップディスプレイデバイス。
【請求項２７】
請求項１〜２６のいずれか１項に記載のヘッドアップディスプレイデバイスであって、前記さらなる投影デバイスと前記偏向デバイスとの間の前記ビーム経路内に配置されるさらなる変調デバイスが提供される、ことを特徴とする、ヘッドアップディスプレイデバイス。
【請求項２８】
請求項１〜２７のいずれか１項に記載のヘッドアップディスプレイデバイスであって、観察者の眼が位置している観察者平面内に仮想的な可視領域が提供され、それにより呈示される前記情報が前記視野内で観察可能である、ことを特徴とする、ヘッドアップディスプレイデバイス。
【請求項２９】
請求項１〜２８のいずれか１項に記載のヘッドアップディスプレイデバイスであって、前記ヘッドアップディスプレイデバイスは、呈示される前記情報をホログラフィックに生成可能なホログラフィックヘッドアップディスプレイデバイスとして設計される、ことを特徴とする、ヘッドアップディスプレイデバイス。
【請求項３０】
少なくとも１つの投影デバイス、偏向デバイス、センサデバイス、及び制御デバイスにより、観察者の視野内で情報を表現するための方法であって、前記少なくとも１つの投影デバイスから射出され前記偏向デバイスへ入射する少なくとも１つのテストビームのデータが前記センサデバイスによって検出され、前記偏向デバイスにより引き起こされる少なくとも１つの収差が前記制御デバイスによって判定され、少なくとも１つの補正信号が実時間でそこから判定され、前記観察者の方向に向けられるべき光ビームが、前記少なくとも１つの補正信号で変調され、前記偏向デバイスへ入射し、信号ビームとして前記観察者の方向に向けられる、方法。
【請求項３１】
請求項３０に記載の方法であって、前記補正信号は、前記投影デバイスにより発せられる各信号ビームに、少なくとも１つの変調デバイスにより加算され、前記信号ビームは、所要の信号ビームに応じて実時間で変調され、前記偏向デバイスにより前記観察者へ向けられる、ことを特徴とする、方法。
【請求項３２】
請求項３０又は３１に記載の方法であって、前記観察者平面内の前記観察者の前記眼の位置が、眼位センサ系により検出され、前記偏向デバイスの少なくとも１つの収差が、前記制御デバイスによって判定され、少なくとも１つの補正信号が、前記観察者の前記眼の位置について、実時間でそこから判定される、ことを特徴とする、方法。
【発明の詳細な説明】
【技術分野】
【０００１】
本発明は、観察者の視野内で情報を表現するためのヘッドアップディスプレイデバイスに関連し、より具体的には、光ビーム経路における収差を補償することの可能なヘッドアップディスプレイデバイスに関連する。さらに、本発明は、観察者の視野内で情報を表現するための方法にも関連する。
【背景技術】
【０００２】
プロジェクタ又は投影デバイスは、２次元情報を生成し、好適にはそれを投影面又は表示画面上に結像させるディスプレイデバイスである。
【０００３】
しかしながら、投影デバイスは、仮想的なイメージを生成し及び表示するためにも使用され得る。そうした投影デバイスは、例えば、車両の実環境へコンテンツ又は情報をブレンドするための、車両内のヘッドアップディスプレイとして使用される。人間の自然な知覚又は環境への追加的な情報の挿入、表示又は重畳を、拡張現実ともいう。この追加的に示される情報は、例えば、速度表示、温度表示、標識、警告、若しくは車線変更についての情報であり、又は、補助機能、ナビゲーションシステム機能、若しくは無線機能の情報でもあり、よって、運転者のドライビング又は運転の振る舞いがそれにより阻害されない形で、車両の運転者視野又は視界にブレンドされる。
【０００４】
こうした仮想的な情報は、通常、車両のユーザからおおよそ２ｍから３ｍの距離に見える。
【０００５】
しかしながら、その情報を観察する際に知覚誤差が生じることがあり、それは情報を生成する際に生じ得る。
【０００６】
例えば、ＵＳ２０１６／０１６３１０８Ａ１は、レーダー（radar）センサ又はライダー（lidar）センサを用いて知覚誤差の補正を行うヘッドアップディスプレイを開示しており、この目的のために、車両のドライバの眼の位置及び車両の外側にある物体の位置がこれらセンサによって決定される。対応する補正パラメータが決定され、補正された形で外部の物体の情報が呈示される。
【０００７】
ヘッドアップディスプレイは、ＵＳ２０１３／０２６５６２２Ａ１にも記載されている。このヘッドアップディスプレイは、仮想的な画像としてのホログラムを、その仮想的な画像の観察者から様々な深度又は距離に再構築する。これは、画像データに加えて、ホログラムを符号化する際に可変レンズデータを提供することによりなされる。このケースにおいて、様々な深度に２次元の再構築物を素早く連続的に表現することにより、疑似３次元的な表現が生み出される。
【０００８】
ＷＯ２０１５／１７３５５８Ａ１は、画像を表現するための拡散器（diffusor）を備えるヘッドアップディスプレイを開示している。このケースでは、拡散器の表面が、車両のフロントガラスの空間的に異なる曲率に由来する歪みが静的に補償される形で形成される。よって、その拡散器は、フロントガラスに直接的に適応し、特定のフロントガラスのためにのみ使用可能である。しかしながら、車両の運転の最中に歪みを動的に補償することは不可能である。
【０００９】
図１に、従来技術に係る一般に知られているヘッドアップディスプレイ（ＨＵＤ）が、その一般的な機能性を説明するために概略的に示されている。そのヘッドアップディスプレイは、例えば、輸送手段の運転者又は情報の観察者の視野へ情報をブレンドするために、例えば自動車又は航空機といった輸送手段において使用される。ヘッドアップディスプレイは、例えば、光源と、光変調器と、例えばレンズであるイメージング素子とを含む投影ユニットＰを備える。黒い矢印で示した、投影ユニットＰから射出される光は、フロントガラスＷで可視領域Ｖの方向に反射する。可視領域Ｖは、観察者の少なくとも１つの眼の領域に位置している。観察者を基準とする可視領域Ｖの正確な測位を、ヘッドアップディスプレイ内の対応するデバイスを介して遂行することができる。呈示される仮想的な情報は、可視領域ＶからフロントガラスＷまで広がる体積及びその向こうへブレンドされる。フロントガラスＷは、観察者が呈示された情報又は周囲へブレンドされる呈示された画像を観察できるように、半透明に設計される。
【００１０】
フロントガラスの面内にミラー要素を提供するヘッドアップディスプレイもまた知られている。ミラー要素は、入射角及び反射角の大きさが等しい通常のミラーであってもよい。ミラー要素は、入射角及び反射角の大きさが互いに相違し得る、回折光学素子（ＤＯＥ）又はホログラフィック光学素子（ＨＯＥ）をも含んでもよい。これらＤＯＣ又はＨＯＥがあれば、光ビーム経路並びに光の入射角及び反射角の設計についてより高い自由度を達成することができる。
【００１１】
しかしながら、輸送手段内に配置され得るヘッドアップディスプレイの動作中に、主に外部からの影響に起因して、フロントガラスの変形が発生するかもしれず、又は、ミラー要素を用いる場合に、ミラー要素の変形もまた発生するかもしれない。このように、ミラー要素の当該変形は、ミラー要素がフロントガラスに取り付けられ又はそこに直接一体化している場合には、その位置又は角度の変化をももたらす。フロントガラス及び／又はミラー要素の当該変形は、例えば、熱ひずみ、気流による気圧、又は輸送手段の振動にも起因して生じ得る。
【００１２】
使用されるフロントガラス及び／又はミラー要素の何らかの変形及びその位置若しくは角度の変化は、ヘッドアップディスプレイの光ビーム経路にも悪影響を与えかねない。結果として、変形は、フロントガラス及び／又はミラー要素により反射した波面又は光ビームの収差をもたらし、それによりドライバの視野へブレンドされる情報が歪んでしまう。一方で、フロントガラス及び／又はミラー要素の変形に起因して不正確な方向へ光が屈折し、そのために、フロントガラス及び／又はミラー要素での反射後に可視領域に到達し、そのようにしてドライバの眼へ到達する光が、無いか又は一部しか無い事態も生じ得る。この場合、呈示された情報は、全く見えないか又はもはや完全には見えないことになるであろう。
【００１３】
しかしながら、フロントガラス及び／又はミラー要素の変形並びにその帰結であるミラー要素の位置若しくは角度の変化は、ヘッドアップディスプレイが、サブホログラムの符号化及び可視領域又は観察者ウィンドウの追跡という原理に基づくホログラフィックヘッドアップディスプレイとして設計されている場合には、特に観察にとって重大となるはずである。可視領域の追跡との関係でのサブホログラムの符号化という原理は、例えば、ＷＯ２００４／０４４６５９Ａ１において開示されており、その開示内容は全体としてここに取り入れられる。ここで、使用されている投影ユニットの光源の観察者平面への結像は、その原理において重要なポイントをなす。この理由のために、フロントガラス及び／又はミラー要素の変形は、光源の結像において収差をもたらし、おそらくは、情報生成用の本質的にコヒーレントな光の使用を通じて起こる非回折光又は他の回折次数の、可視領域におけるクロストークをもたらすであろう。ミラー要素の位置又は角度の変化は、ビーム経路における光の方向の誤差をももたらす。よって、可視領域がもはやドライバ又は情報の観察者の眼の位置にはない事態が生じ得る。
【００１４】
フロントガラス及び／又はミラー要素の変形は、輸送手段の動作中にも変化するかもしれず、それにより動作中に様々な変形が現れる可能性があり、これが観察者の視野へブレンドされる情報の知覚をかなり阻害し得る。
【００１５】
従来技術のデバイスは、収差の補正のための解決策を既に提供しているが、その補正は、フロントガラス及び／又はミラー要素の特定の変形にのみ関連しており、フロントガラス及び／又はミラー要素の様々な変形がヘッドアップディスプレイの動作中に現れ得るという問題、並びに、高い精度かつ高い画像品質で情報の観察者へ情報を提供可能となるようにそれらが補正され又は補償されなければならないという問題を、解決していない。
【発明の概要】
【００１６】
したがって、本発明の目的は、フロントガラス及び／又はミラー要素の変形並びにその位置若しくは角度の変化に対応することを可能にし、その結果としての少なくとも１つの収差を実時間で補償することのできるヘッドアップディスプレイデバイスを提供することである。
【００１７】
請求項１の特徴を有するヘッドアップディスプレイデバイスにより、本発明に従って本目的が達成される。
【００１８】
本発明によれば、観察者の視野内に情報を生成し及び表示することに加えて、歪み、コマ、非点収差、像面湾曲、及び、球面又は色収差といった収差を補償することに特に適したヘッドアップディスプレイデバイスが提供される。そのヘッドアップディスプレイデバイスは、旧来の２次元投影を介して、又はホログラフィックに、呈示され若しくは提供されるべき情報を生成することができる。さらに、視野内のその情報を、２次元的に又は３次元的に表示することができるであろう。
【００１９】
本発明に係る、観察者の視野内で情報を表現するためのそうしたヘッドアップディスプレイデバイスは、少なくとも１つの投影デバイス、偏向デバイス、センサデバイス、及び制御デバイスを備える。少なくとも１つの偏向要素を含む上記偏向デバイスにおいて、入射する光ビームが偏向される。上記偏向デバイスへ入射する少なくとも１つのテストビームのデータを検出するために、上記センサデバイスが使用される。上記制御デバイスは、上記偏向デバイスにより引き起こされる少なくとも１つの収差を判定するため、及び、実時間で少なくとも１つの補正信号を判定するために使用される。
【００２０】
本発明のヘッドアップディスプレイの上記ケースにおいて、上記偏向デバイスは、輸送手段のフロントガラスとして、又は、例えばミラー要素といった部分的に反射性の要素として設計され得る少なくとも１つの偏向デバイスを含み、上記偏向デバイスにより観察者へ向けて偏向される信号ビームとして言及される光に加えて、少なくとも１つのテストビームを照射される。このテストビームは、上記偏向デバイスにおいて上記センサデバイスの方向へ反射され、次いで上記センサデバイスにより検出される。このケースにおいて、上記少なくとも１つのテストビームのデータが検出される。上記少なくとも１つのテストビームの波面、位置及び方向の検出によって、波面の少なくとも１つの収差と、光の少なくとも１つの方向の誤差とを算出することが可能である。上記センサデバイスの上記データに基づいて、その後、上記偏向デバイスの変形によって引き起こされる少なくとも１つの収差が、上記制御デバイスによって判定され及び算出される。本発明によれば、"収差"との用語は、光の方向誤差又は角度誤差を意味するようにも理解されるべきである。そして、判定した上記収差に基づいて、少なくとも１つの補正信号が判定される。上記収差の判定及び上記少なくとも１つの補正信号は、実時間で提供される。
【００２１】
このようにして、フロントガラス及び／又はミラー要素の、それら要素への外部からの影響による変形のために引き起こされる少なくとも１つの収差を、実時間で、即ち、ヘッドアップディスプレイデバイスの使用中又は動作中に、判定すること及びそれを補償することも可能である。結果として、観察者の視野内に生成されるべき情報の画像品質を相当程度に改善し及び向上させることができる。このことは、転じて、本発明に係るこうしたヘッドアップディスプレイデバイスを任意のモデルの輸送手段において使用できるという、多大な利点をも有する。例えば、本発明に係るヘッドアップディスプレイデバイスは、多様なモデルの乗用車において、又は様々なモデルの航空機においても使用できるはずであり、引き起こされるその収差を実時間で判定し、それを実時間で補償することもできるであろう。
【００２２】
本発明のさらなる有利な実施形態及び改良が、他の従属請求項に見出され得る。
【００２３】
本発明の特に有利な実施形態において、提供され得ることとして、少なくとも１つの変調デバイスが提供され、上記少なくとも１つの変調デバイスは、上記少なくとも１つの補正信号での上記観察者の方向に向けられた信号ビームの実時間での補正のために提供される。
【００２４】
上記少なくとも１つの収差は、少なくとも１つの変調デバイスにおいて補償され又は補正されてもよい。この目的のために、制御可能となるように設計され得る、上記少なくとも１つの変調デバイスの上記少なくとも１つの補正信号が、上記制御デバイスによって送信される。上記少なくとも１つの投影デバイスから発せられる少なくとも１つの信号ビーム、又は複数の信号ビームが上記補正信号に従って変調されるように、上記変調デバイスを制御することができ、それにより、上記偏向デバイスにより引き起こされる上記少なくとも１つの収差が補正され又は補償される。この目的のために、上記変調デバイスが光ビーム経路内に配置される。この目的のために、上記少なくとも１つの収差の補償が実時間でなされ得る。
【００２５】
このようにして、上記少なくとも１つの収差についての検出、計算及び補償が実時間で、特に継続的に行われ、それはフィードバックループであってもよく、フィードバックループにおいて、上記少なくとも１つの補正信号は、チェックされ、あるいは補正され得る。よって、収差の補正を、例えばフロントガラス及び／又はミラー要素の即時的な変形に適合させることができる。
【００２６】
本発明の代替的な又は追加的な有利な実施形態において、提供され得ることとして、上記投影デバイスは、上記少なくとも１つの補正信号で信号ビームを補正するために提供され、上記投影デバイスのために提供されるホログラムのホログラム計算のケースにおいて、上記少なくとも１つの補正信号を含めることができる。
【００２７】
上記少なくとも１つの収差の補償は、ホログラム計算において行われてもよい。算出されるホログラムは、上記少なくとも１つの投影デバイスを有する空間光変調デバイスへ符号化される。このアプローチは、上記ヘッドアップディスプレイデバイスがホログラフィックヘッドアップディスプレイデバイスとして設計され、よって呈示すべき上記情報を観察者の上記視野内に生成するための上記空間光変調デバイスへホログラムが符号化される場合には、特に有利であり得る。これは、上記少なくとも１つの収差を、上記変調デバイスに加えて、又はその代わりに、上記投影デバイスの上記空間光変調デバイス上のホログラムのみにおいて補償できることを意味する。この目的のために、上記少なくとも１つの補正信号は、上記投影デバイスへ送信され、上記ホログラムの計算に含められる。このようにして、上記収差は、上記ホログラムの計算において利用可能とされ、上記投影デバイスにおいて直接的に補償される。
【００２８】
本発明のさらなる有利な実施形態において、上記偏向デバイスの上記少なくとも１つの偏向要素は、フロントガラスとして設計されてもよい。
【００２９】
上記信号ビームと共に、上記少なくとも１つのテストビームは、光の入射角が光の反射角と等しいという条件下で、フロントガラスの空気とガラスとの境界面において偏向する。このケースでは、上記少なくとも１つのテストビームが、フロントガラス上で上記信号ビームと同じ位置、同じ角度で入射しないことに注意が払われるべきである。結果として、保証され得ることとして、上記少なくとも１つのテストビームは、上記信号ビームとは別の方向に偏向する。
【００３０】
このように、輸送手段のフロントガラスは、上記ヘッドアップディスプレイデバイスの一部である。但し、上記ヘッドアップディスプレイデバイスは様々な輸送手段で使用可能であり、よって特定のタイプのフロントガラスを要求せず必要ともしないことから、それは固定的な部分をなさない。
【００３１】
一方で、やはりあり得ることとして、上記偏向デバイスの上記少なくとも１つの偏向要素は、フロントガラスの面内に提供される半透明のミラー要素として設計されてもよい。但し、この半透明のミラー要素は、この場合、ヘッドアップディスプレイデバイスの固定的な部分をなすことになるであろう。
【００３２】
有利に提供され得ることとして、上記偏向デバイスの上記少なくとも１つの偏向要素は、波長選択的又は角度選択的となるように設計される。
【００３３】
上記少なくとも１つの偏向要素は、本質的に、ある波長の光のみ、及び／又はある入射角の光のみを偏向させ、他の波長及び／又は他の入射角の光については、全くか又は小さい無視できる程度にわずかな部分しか偏向させずに通過できるようにする。このようにして、特に有利な形で保証され得ることとして、上記少なくとも１つのテストビームが、上記少なくとも１つの偏向要素により観察者の方向ではなく異なる方向に偏向され、その方向において、上記信号ビーム及び上記観察者に影響を与えることなく、上記テストビームの検出を遂行することができる。
【００３４】
本発明によれば、上記少なくとも１つの偏向要素は、体積格子として、又は基板へ取り付けられた体積格子として設計されてもよい。体積格子は、波長選択的かつ角度選択的である。これは、それらが定義される波長の定義される角度で入射する光のみを本質的に偏向させることを意味する。体積格子は、光が反射し選択的に偏向する複数のブラッグ平面を有する。体積格子は、例えば、二光束干渉によってフォトポリマーにおいて感光され得る。
【００３５】
例えば、偏向要素として設計された体積格子（ここでは、体積格子が基板へ取り付けられているかは違いを生まない）を、上記観察者の方向へ上記信号ビームを偏向させ又は方向転換するために使用することが可能である。その一方、上記少なくとも１つのテストビームは、上記体積格子ではなく、上記フロントガラスの空気とガラスとの間の界面において偏向し、これは光の入射角が光の反射角と等しいという条件下においてである。
【００３６】
逆にいうと、当然ならがら、偏向要素として設計された体積格子（ここでも、体積格子が基板へ取り付けられているかは違いを生まない）を、上記センサデバイスへ向かう予め決定される方向へ上記少なくとも１つのテストビームを偏向させ又は方向転換するために使用することも可能である。その一方、上記信号ビームは、上記体積格子ではなく、上記フロントガラスの空気とガラスとの間の界面において偏向し、これは光の入射角が光の反射角と等しいという条件下においてである。
【００３７】
一般的に考えると、体積格子の使用は、入射する光ビームの入射角及び反射角の観点での設計の卓越した自由度を可能にする。なぜなら、体積格子については、回折格子に関連するために光の入射角及び光の反射角が相違し得るという事実が当てはまるためである。
【００３８】
さらに、本発明に従って提供され得ることとして、上記偏向デバイスは、少なくとも２つの偏向要素を含む。
【００３９】
ここで、上記少なくとも２つの偏向要素が体積格子として設計されてもよい。このケースにおいて、提供され得ることとして、上記信号ビームは、１つの体積格子からのみ偏向され、上記少なくとも１つのテストビームは、上記信号ビームを偏向させない体積格子からのみ偏向される。よって、上記少なくとも１つのテストビームは、上記センサデバイスの方にのみ方向転換され、上記信号ビームは、上記観察者の方にのみ方向転換される。上記輸送手段の外側から上記フロントガラスを通じて上記体積格子へ入射する上記ヘッドアップディスプレイデバイスの周囲光については、上記体積格子は本質的に透明であり、上記周囲光の偏向をもたらさない。
【００４０】
上記体積格子は、基板に取り付けられてもよい。それらは、２つの別個のレイヤで上記基板に取り付けられてもよく、共通のレイヤ内に上記体積格子を提供することも可能である。それら体積格子は、この目的のために、フォトポリマー内で多重化により感光され得る。
【００４１】
またあり得ることとして、上記少なくとも２つの偏向要素のうちの一方が体積格子として設計され、上記少なくとも２つの偏向要素のうちの他方がミラー要素として設計されてもよい。
【００４２】
上記少なくとも１つの偏向要素が、誘電レイヤを有するレイヤスタックとして設計されるならば、また有利であり得る。誘電レイヤを有する上記レイヤスタックは、ここでも光の入射角及び光の反射角の大きさが等しい状況で、上記信号ビームが反射されるように設計され得るであろう。そうしたレイヤスタックは、波長選択的であってよく、それにより、上記信号ビームのみが反射され及び偏向され、上記少なくとも１つのテストビームはそうされない。上記少なくとも１つのテストビームは、上記フロントガラスの空気とガラスとの間の上記界面において偏向され得るであろう。当然ながら、逆に、上記レイヤスタックが、上記少なくとも１つのテストビームを反射してそれに応じて上記センサデバイスへ偏向させ、上記信号ビームは上記レイヤスタックにより反射されず偏向されない、ということも可能である。この場合、上記信号ビームは、例えば、上記フロントガラスの空気とガラスとの間の上記界面において偏向され得るであろう。
【００４３】
本発明の追加的な実施形態において、提供され得ることとして、上記投影デバイスは、少なくとも１つの光源と、少なくとも１つの空間光変調デバイスと、光学系とを有する照明デバイスを含む。
【００４４】
上記投影デバイスによって、呈示すべき上記情報が上記観察者向けに生成される。これは、旧来のやり方でなされてよい。しかしながら、上記情報の生成は、ホログラフィックに行われてもよい。この目的のために、ホログラムが上記空間光変調デバイスへ符号化され、これは個別のサブホログラムからなってもよい。実質的にコヒーレントな光を発する上記少なくとも１つの光源と光学系とによって、上記情報が生成され又は再構築され、それは上記空間光変調デバイスにおいてホログラムとして符号化される。このために、上記少なくとも１つの光源が上記観察者の平面へ結像し、この観察者平面内に可視領域が生み出される。上記可視領域は、上記ホログラムのフーリエ変換により生成されてもよく、又は、上記空間光変調デバイスによって生成されてもよい。加えて、上記可視領域は、数ミリメートルのサイズでしかなく、観察者がこの可視領域を通じて見た場合に、当該観察者が上記輸送手段の外側の上記視野内に仮想的に生成される上記情報を観察できるように、上記観察者の眼の位置に提供されなければならない。上記観察者の眼が動くケース、及び上記観察者が動くケースにおいても、上記可視領域はその眼に追随し得る。これを保証するためには、例えば位置検出系により、目の位置を検出することが必要である。
【００４５】
有利に提供され得ることとして、上記投影デバイスは、信号ビームを発するため、及び少なくとも１つのテストビームを発するための双方のために提供される。これは、上記信号ビーム及び上記少なくとも１つのテストビームの双方を発するものとして１つのデバイスしか必要とされないことから、その観点で有利である。このようにして、上記ヘッドアップディスプレイデバイスをコンパクトに保つことができる。
【００４６】
さらに、有利に提供され得ることとして、上記少なくとも１つの変調デバイスは、上記少なくとも１つの投影デバイスと上記偏向デバイスとの間のビーム経路内に配置され、上記少なくとも１つの変調デバイスは、判定された上記少なくとも１つの補正信号に応じて入射する信号ビームを変調する少なくとも１つの変調要素を含む。
【００４７】
このケースにおいて、好適に提供され得ることとして、上記少なくとも１つの変調デバイスは、上記少なくとも１つの補正信号を上記変調デバイスへ送信する上記制御デバイスによって制御可能である。上記制御デバイスは、上記偏向デバイスにより引き起こされる上記信号ビームの波面における上記少なくとも１つの収差を補償し又は補正するために、判定された上記補正信号に応じて上記投影デバイスにより発せられた上記信号ビームを変調するように、上記少なくとも１つの変調デバイスを制御する。
【００４８】
ここで、特に好適には、上記少なくとも１つの変調デバイスは、液晶を含む位相変調器として設計されてよく、上記液晶の向きは、局所的な電場によって制御可能である。上記少なくとも１つの収差を補償するために、例えば変調デバイスとして位相変調器が提供されてもよい。上記位相変調器は、２つの基板の間に提供される液晶レイヤを含み、その液晶の向きが制御可能である。上記液晶の向きを、局所的な電場を印加することにより変化させることができる。上記補正信号に対して上記液晶の向きが調整されるように、上記位相変調器を制御することができ、それにより、上記補正信号に対応する上記信号ビームの上記波面の変調が達成される。言い換えると、こうした位相変調器があれば、特に位相を変調することで入射光の波面を局所的に変調することが可能である、このようにして、上記少なくとも１つの変調デバイスへ入射する上記信号ビームの波面が、補正されるべき上記収差に応じて変調され得る。
【００４９】
上記少なくとも１つの変調デバイスの代替的な実施形態は、エレクトロウェッティングの原理に従って光を変調する液晶セルを提供することであり得る。エレクトロウェッティングの原理は、液体セルの形態の変化に基づく。このケースでは、液滴の表面張力が電場の印加により歪められ、それに応じて入射光を変調することができる。
【００５０】
上記液晶が複数のセルで提供され、上記液晶のセルが上記少なくとも１つの変調デバイスにおいて回転対称に配置されれば、特に好適であり得る。上記少なくとも１つの変調デバイスは、回転対称的な、リング形状の、又は円形に配置された複数の液晶セルを有し得る。液晶又は液晶セルのこの実施形態は、例えば、開口の不良としても知られる球面収差といった回転対称的な収差を補正するために良好に適している。
【００５１】
さらに、上記少なくとも１つの変調デバイスが反射型で設計され、好適にはＭＥＭＳ変調デバイスとして設計されれば、有利であり得る。少なくとも１つの信号ビームの波面を変調するために、マイクロミラー群の構成が使用されてもよく、それらの伝播距離（travel）及びチルト角を局所的に制御することができる。
【００５２】
当然ながら、既知の液晶ディスプレイもまた変調デバイスとして使用されてもよい。
【００５３】
本発明のさらに有利な実施形態において、提供され得ることとして、上記センサデバイスは、上記観察者の上記視野の外側に配置される。これは、結果として上記観察者がその視野内の情報を観察する際に上記センサデバイスにより邪魔されないという効果を有する点で有利である。
【００５４】
さらに、有利に提供され得ることとして、上記センサデバイスは、シャックハルトマンセンサの原理に従って設計され、又は上記少なくとも１つのテストビームの検出用のカメラとして設計される。
【００５５】
上記センサデバイスは、上記少なくとも１つのテストビームの波面及び方向を判定し又は測定するために提供される。この目的のために、上記センサデバイスは、例えば、シャックハルトマンの原理に従う波面センサデバイスとして設計されてもよく、当該センサのデータから上記テストビームの波面の収差及び傾斜角を算出することができる。上記センサデバイスは、他の実施形態において、カメラとして、とりわけカメラチップを有するカメラとして設計されることもでき、カメラチップは、上記少なくとも１つの入射テストビームの位置及びサイズを検出し、そこから上記テストビームの入射の波面及び方向を算出する。
【００５６】
一方で、上記センサデバイスは、上記偏向デバイスの熱応力及び／又は機械的応力を測定するために提供されてもよい。上記センサデバイスは、その場合、上記偏向デバイスの温度による及び／又は機械的な張力を測定する。値のテーブル又はデータセットによる計算によって、上記制御デバイスは、判定した上記測定値から、上記偏向デバイスの少なくとも１つの収差の少なくとも１つの即時的な値を判定する。
【００５７】
さらに、上記偏向デバイスの領域に又は当該領域内に光パターンを生成するために、光パターン投影系が提供され得ることも可能である。
【００５８】
上記光パターン投影系は、上記偏向デバイス上に縞状のパターン又は格子状のパターンを生成する。言い換えると、上記光パターン投影系によって、縞又は格子の形式の光パターンが上記偏向デバイスへ投影される。そして、カメラ系又はカメラは、上記光パターン、即ち縞又は格子の形状を記録し、上記制御デバイスが、上記光パターンの所要の形状に対するその形状のずれから、上記偏向デバイスの少なくとも１つの収差を算出する。
【００５９】
代替的に、又はセンサデバイスに加えて、上記偏向デバイスにより引き起こされる収差を判定するために、上記偏向デバイスに複数のマーカが提供されてもよく、それらの位置がカメラによって判定可能とされる。
【００６０】
上記偏向デバイス上に例えば、引き起こされる収差を判定し得る手段である複数のマーカが提供されてもよい。この目的のために、それらマーカの個々の位置がカメラ系により判定される。事前に定義されるマーカの所要の位置からの、それらマーカの個々の位置のずれから、上記偏向デバイスの少なくとも１つの収差が判定され及び算出され得る。
【００６１】
本発明のさらなる実施形態において、提供され得ることとして、上記少なくとも１つのテストビームは、上記信号ビームとは異なる波長を有する。
【００６２】
これは、上記偏向デバイスが少なくとも２つの体積格子を含む場合にはとりわけ有利である。この場合に提供され得ることとして、例えば、上記少なくとも１つのテストビームは、それら２つの体積格子のうちの１つからのみ偏向され、上記信号ビームは、上記少なくとも１つのテストビームを偏向させない他の体積格子から偏向される。上記情報のカラー表現が提供される場合には、上記信号ビームの各色について体積格子が提供されるべきである。それら体積格子は、それぞれレイヤ内で感光され得る。それら体積格子を単一のレイヤにおいて多重化することにより感光することも可能である。
【００６３】
例えば、好適に提供され得ることとして、上記少なくとも１つのテストビームは、赤外波長範囲内の波長を有し、上記信号ビームは、可視光波長範囲内の波長をそれぞれ有する。このようにして、上記少なくとも１つのテストビームは、上記センサデバイスへ向けれれてよく、上記信号ビームは、上記観察者へ向けられてよい。
【００６４】
有利にさらに提供され得ることとして、テスト投影デバイスとして設計されるさらなる投影デバイスが提供され、上記テスト投影デバイスは、上記少なくとも１つのテストビームを発するために提供される。
【００６５】
このようにして、上記信号ビームを発する上記投影デバイスから上記少なくとも１つのテストビームを発するのではなく、テスト投影デバイスとして機能するさらなる投影デバイスから上記少なくとも１つのテストビームのみを発することが可能である。このテスト投影デバイスは、よって、上記信号ビームを発する上記投影デバイスからは独立しており、発しなければならないのは上記少なくとも１つのテストビームのみであることから、簡易な形で設計されることができる。これは、上記少なくとも１つのテストビームが別個の投影デバイスにおいて生成されること、及び、上記投影デバイスが信号ビームに加えて上記少なくとも１つのテストビームを発しなければならない場合よりも、よりコスト効率的に、より簡易な手段を用いて信号ビームを発するように上記投影デバイスを設計できることを意味する。
【００６６】
これは、上記偏向デバイスでの上記少なくとも１つのテストビーム及び上記少なくとも１つの又は複数の信号ビームの相異なる入射角によって、より簡易な形でそれら光ビームを上記偏向デバイスにより相異なる方向に偏向させることができることから、その観点で有利である。
【００６７】
本発明のさらなる実施形態において、提供され得ることとして、上記さらなる投影デバイスと上記偏向デバイスとの間のビーム経路内に配置されるさらなる変調デバイスが提供される。このさらなる変調デバイスが、上記偏向デバイスにより引き起こされる上記少なくとも１つの収差の補償をチェックするために、有利に提供されてもよい。上記制御デバイスによって上記少なくとも１つの収差を判定し及び少なくとも１つの補正信号を判定した後に、上記補正信号は、当該補正信号で上記信号ビームが変調される前に、上記さらなる変調デバイスへまず送信され得る。そして、上記さらなる変調デバイスは、上記補正信号を用いてさらなるテストビームを変調する。この変調後のテストビームは、次いで、上記偏向デバイスへ入射し、上記センサデバイスの方向へ再び偏向される。上記センサデバイスは、このテストビームのデータを検出し、上記制御デバイスは、上記テストビームの波面に少なくとも１つの収差が依然として現れているかを判定する。収差がもはや現れていない場合、判定された上記補正信号が、信号ビームを発するための投影デバイスに接続されている上記少なくとも１つの変調デバイスへ送信され、それにより上記少なくとも１つの信号ビームが上記少なくとも１つの補正信号を用いて変調され得る。
【００６８】
上記制御手段によってなされるこのチェック及び収差の判定の後に、少なくとも１つの収差が依然として現れるはずであれば、依然として現れるその収差に応じて、少なくとも１つの補正信号が再度判定され及び算出される。そして、例えば上記少なくとも１つの収差の値が依然として高過ぎる場合には、その補正信号が、上記テスト投影デバイスに接続されている上記さらなる変調デバイスへ、チェックのために再び送信され得るであろう。再判定された上記収差の値が無視できるほど小さい場合、上記少なくとも１つの変調デバイスの上記少なくとも１つの補正信号が、上記信号ビームの変調のために送信されてよい。
【００６９】
チェックのためのこのアプローチが実時間で同じように行われ得る。
【００７０】
有利には、観察者の眼が位置している観察者平面内に仮想的な可視領域が提供されてもよく、それにより表現される上記情報が上記視野内で観察可能となる。
【００７１】
呈示すべき上記情報がホログラフィックに生成される場合には、観察者平面内に仮想的な可視領域が形成されてもよい。この仮想的な可視領域は、観察者の瞳孔よりも小さいサイズ、瞳孔よりも大きいサイズ、又は観察者の瞳孔のサイズと同様のサイズを有してよく、例えば、水平方向のレンジは約２ｍｍから約１５ｍｍである。可視領域の垂直方向のレンジは、約２ｍｍから約１０ｍｍの間であってよい。
【００７２】
上記情報がホログラフィックに生成されず、立体視的に又は純粋に２次元的に生成される場合、上記可視領域は、約２００ｍｍ×約１００ｍｍというサイズを有し得る"アイボックス（eyebox）"型として形成される。
【００７３】
本発明に係る上記ヘッドアップディスプレイデバイスは、好適には、表現される上記情報をホログラフィックに生成することのできるホログラフィックヘッドアップディスプレイデバイスとして設計されてもよい。
【００７４】
本発明に係る目的は、請求項３０に記載の、観察者の視野内で情報を表現するための方法によりさらに達成される。
【００７５】
本発明に係る、観察者の視野内で情報を表現するための方法は、少なくとも１つの投影デバイス、少なくとも１つの偏向要素を含み得る偏向デバイス、センサデバイス、及び制御デバイスを含む。上記少なくとも１つの投影デバイスから射出され上記偏向デバイスへ入射する少なくとも１つのテストビームのデータが、上記センサデバイスによって検出される。上記偏向デバイスにより引き起こされる少なくとも１つの収差が、上記制御デバイスによって判定される。少なくとも１つの補正信号が、実時間でそこから判定される。上記観察者の方向に向けられるべき光ビームが、上記少なくとも１つの補正信号で変調され、上記偏向デバイスへ入射し、信号ビームとして上記観察者の上記方向に向けられる。
【００７６】
有利には、上記少なくとも１つの補正信号は、上記投影デバイスにより発せられる各信号ビームに、少なくとも１つの変調デバイスにより加算され得る。上記信号ビームは、要求される信号ビームに対応する実時間で変調され、上記偏向デバイスにより上記観察者へ向けられ得る。上記少なくとも１つの補正信号は、代替的に又は追加的に、ホログラム計算の期間中に考慮され、計算に算入され得る。
【００７７】
特に有利な形として、眼位センサ系を用いて、上記観察者平面における上記観察者の眼位が検出されてもよく、この場合に、上記制御デバイスによって上記偏向デバイスの少なくとも１つの収差が判定され、その結果から上記観察者の眼位について実時間で少なくとも１つの補正信号が判定される。
【００７８】
本発明の教示を有利に発展させるための、及び／又は説明される例示的な実施形態若しくは設計を組合せるための多様な可能性が今のところ存在する。この目的のために、一方では、独立的な特許請求項に従属する特許請求項への参照がなされ、他方では、その教示の好適な実施形態が概略的に描かれてもいる図面に基づいて、本発明の好適で例示的な実施形態の以下の説明への参照がなされる。本発明は、記述される例示的な実施形態に基づいて原理的に説明されることになるが、それらに限定されるべきではない。
【図面の簡単な説明】
【００７９】
【図１】従来技術に係るヘッドアップディスプレイの概略図である。
【図２】本発明に係るヘッドアップディスプレイの概略図である。
【図３】本発明に係るヘッドアップディスプレイの第２の実施形態の概略図である。
【図４】本発明に係るヘッドアップディスプレイの第３の実施形態の概略図である。
【図５】本発明に係る偏向デバイスの概略図である。
【発明を実施するための形態】
【００８０】
簡単に触れるべきこととして、同一の要素／構成要素／コンポーネントは、図中で同一の参照番号を有する。
【００８１】
ヘッドアップディスプレイデバイスは、運転者又は車両のドライバに対し、画像情報の形式で視野内へ直接的に情報を投影する目的で、乗用車又は航空機において使用される。
【００８２】
図２は、本発明に係るヘッドアップディスプレイデバイスの１つの実施形態を示している。乗用車又は航空機の内部に提供され光を投影するヘッドアップディスプレイデバイスは、少なくとも１つの光源及び少なくとも１つの空間光変調デバイスを有する照明デバイスと、光学系とを含む投影デバイス２、を備える。光学系は、簡明さのためにここではより詳細には示されていない。空間光変調デバイスは、光源により発せられる光を、当該空間光変調デバイスに示される生成すべき情報に応じて変調する。投影デバイス２により発せられる光は、空間光変調デバイスの画像が乗用車又は航空機に着座している観察者４へ仮想情報として表現されるように、投影面として働く偏向デバイス３へ投影され、観察者４はここでは眼として図示されている。偏向デバイス３は、少なくとも１つの偏向要素を含み、ここでは、ヘッドアップディスプレイデバイスの光学系の一体化した部分であり、部分的に反射性を有する。上記情報を、既知のやり方で２次元的に生成し、観察者４の視野内で表現することができる。偏向デバイス３の少なくとも１つの偏向要素は、図２では、乗用車又は航空機のフロントガラスとして設計されている。
【００８３】
但し、投影デバイスの空間光変調デバイスにおいて、ホログラフィックに表現されるべき情報を生成する目的で、ホログラムが符号化されてもよい。一方で、照明デバイスの少なくとも１つの光源は、この場合、例えばレーザ又はＬＥＤ（発光ダイオード）光源から十分にコヒーレントな光を発するべきであり、これは、観察者４の視野内に所要の情報をホログラフィックに生成できるような形で、ホログラムを空間光変調デバイスへ符号化することによって、入射光の振幅及び位相を変調するためである。その情報は、よって、２次元的に又は３次元的に生成され及び表示され得る。
【００８４】
本発明に係るヘッドアップディスプレイデバイスにより、偏向デバイスを出た光ビームが有することになる、偏向デバイス３により引き起こされる収差を、実時間で補償し又は補正することができる。この目的のために、投影デバイス２は、表現されるべき情報を信号ビームＳＢとして搬送するための光ビームであって、やはり投影デバイス２により生成される当該光ビーム、と同じ特性を有する少なくとも１つのテストビームＴＢを生成する。テストビームＴＢによって、例えば温度のゆらぎ、圧力若しくは振動などといった外部の又は内部の影響に起因して偏向デバイス３により引き起こされる、少なくとも１つの収差が検出され又は判定される。この目的のために、図２におけるテストビームＴＢは、偏向デバイス３の方向にテストビームを偏向させる反射系５へ向けて誘導され、そこにぶつかる。すると、テストビームＴＢは、その領域内に存在する収差を受け又は搬送し、偏向デバイス３からセンサデバイス６の方向に向けられる。収差を正確に測定するためには、情報を搬送する信号ビームＳＢが偏向デバイス３へ入射する偏向デバイス３上の位置にテストビームも入射することが重要である。この手法によってのみ、正確に判定された補正信号で、必要に応じて、情報を誤差なく表現できるように信号ビームを補正することができる。図２から明らかなように、テストビームＴＢは、信号ビームＳＢとは異なる角度で偏向デバイス３において反射し、それにより、信号ビームＳＢと同様に観察者４の方向に偏向されるのではなく、センサデバイス６へ方向転換され得る。テストビームＴＢに対する端部の光線としてそれぞれ図２に示した破線は、テストビームが十分にセンサデバイス６へ入射することを示すものである。センサデバイス６は、観察者４の視野の外側に提供され、自動車又は航空機の、例えば乗用車の天井に取り付けられてもよい。センサデバイス６は、テストビームＴＢの入射する波面及び方向を検出し及び測定する。センサデバイス６は、例えば、シャックハルトマンの原理に従う波面センサデバイスであってもよく、当該センサのデータからテストビームの入射する波面の収差及び傾斜角を算出することができる。センサデバイス６のさらなる実施形態において、当該デバイスは、カメラチップを有するカメラとして設計されてもよく、カメラチップは、入射するテストビームの位置及びサイズを検出し、その結果からテストビームの入射の波面及び方向を算出する。
【００８５】
この手法で検出されるテストビームＴＢのデータを用いて、制御デバイス７において、テストビームを用いて判定され光の方向誤差をも含むものとされるテストビームの波面の少なくとも１つの収差が判定され及び算出される。既に触れたように、その収差は、偏向デバイス３の変形によって、及び投影デバイス２に対して相対的な位置又は角度の変化によって生じ得る。加えて、制御デバイス７は、やはり実時間で少なくとも１つの補正信号を判定し、その補正信号は、収差無しで情報が表現されるように、観察者向けに表現されるべき当該情報を搬送する信号ビームを変調できるようにするためのものである。
【００８６】
ヘッドアップディスプレイデバイスは、さらに、制御デバイス７へ連結され又は接続される変調デバイス８を備える。変調デバイス８は、光伝播方向においてビーム経路内で投影デバイス２の後に配置される。制御デバイス７は、判定した少なくとも１つの補正信号を変調デバイス８へ送信する。加えて、制御デバイス７は、その後、観察者向けの情報を搬送する、やはり投影デバイス２により発せられる信号ビームの波面が、上記少なくとも１つの補正信号を用いて、信号ビームに含まれる波面の収差及び方向誤差を補償する形で変調されるように、変調デバイス８を制御する。変調デバイス８は、少なくとも１つの信号ビームＳＢを変調するための少なくとも１つの変調要素を含み得る。
【００８７】
変調デバイス８は、例えば、位相変調器として設計されてもよい。位相変調器は、液晶を有してもよく、その向きは局所的な電場により制御可能である。したがって、少なくとも１つの信号ビーム及び少なくとも１つのテストビームの位相と、それにより波面とを局所的に変調することができる。変調デバイス８の他の実施形態において、当該デバイスは、エレクトロウェッティングの原理に従って光を変調するセルを含んでもよい。変調デバイス８は、例えば角度及び伝播距離が局所的に制御されるマイクロミラーのマトリクスによって、反射的なやり方で設計されることもできるであろう。言い換えると、変調デバイス８は、ＭＥＭＳ（microelectromechanical system）デバイスとして設計されてもよく、ＭＥＭＳデバイスでは、ミラー要素の角度及び／又は伝播距離を設定することにより、光又は信号ビームの波面の位相及び／若しくは振幅を変調することができる。
【００８８】
このようにして、即ち上記少なくとも１つのテストビームによって、偏向デバイス３により引き起こされる少なくとも１つの収差が判定され及び算出され、並びに対応する補正信号が判定された後、投影デバイス２は、表現されるべき情報で変調された少なくとも１つの信号ビームＳＢを発することができる。この変調された信号ビームＳＢは、変調デバイス８に入射し、必要ならば、偏向デバイスにより引き起こされる収差を補償する目的で、上記少なくとも１つの補正信号を用いて変調される。この変調され補正された信号ビームＳＢは、図２から明らかなように、破線で示されている角度範囲で、偏向デバイス３に入射する。ここで、折り畳まれた形で、偏向デバイス３へ信号ビームを向ける反射性の光学系が、ヘッドアップディスプレイデバイスに提供されてもよく、それによりヘッドアップディスプレイデバイスのサイズをよりコンパクトに設計し得る。そうした反射性の光学系は、簡明さのために、ここで呈示した図２〜図４には示されていない。次いで、信号ビームＳＢは、偏向デバイス３において観察者４へ向けて反射し、そこに可視領域Ｖが生成され、観察者４は可視領域Ｖ内で情報を感知することができる。光学系と連動する投影デバイス２は、このようにして、可視領域Ｖを通じて観察者４により感知される仮想的な画像を生成する。可視領域Ｖは、観察者４の少なくとも一方の眼の領域に位置する。約２００ｍｍ×１５０ｍｍであり得るこの領域から、観察者４は、観察者の視野内、例えば乗用車のボンネットのすぐ上、に表現された情報を観察することができる。
【００８９】
また、可視領域Ｖは、図２に従って設計され得るホログラフィックヘッドアップディスプレイデバイスにおいて生成されてもよい。但し、この場合、可視領域Ｖは、空間光変調デバイスにおいて符号化されるホログラムのフーリエ変換により形成され、約２ｍｍ〜１５ｍｍのサイズを有し得る。この可視領域は、限られたサイズしか有しないことから、観察者が動くケースでは観察者の新たな位置に追随し得る。
【００９０】
図３は、本発明に係るヘッドアップディスプレイデバイスの他の例示的な実施形態を示している。構造の観点では、このヘッドアップディスプレイデバイスは、図２に係るヘッドアップディスプレイデバイスに対応する。但し、図２に係るヘッドアップディスプレイデバイスとは大きな差異がある。図３に係るヘッドアップディスプレイデバイスでは、フロントガラス２９はもはや光学系の本質的な一体化した部分ではなく、したがって、概して図２における偏向デバイスの偏向要素としては働かない。むしろ、ここでは、フロントガラス２９の面内に配置される偏向デバイス２３が提供される。好適には、偏向デバイス２３は、車両又は輸送手段のフロントガラス２０へ直接的に取り付けられる。あるケースでは、偏向デバイス２３は、空間の節約及び安定的な配置を達成する目的で、フロントガラス２９へ少なくとも部分的に一体化されてさえよい。
【００９１】
図３においても、投影デバイス２０は、やはり少なくとも１つのテストビームＴＢ及び少なくとも１つの信号ビームＳＢを発する。但し、テストビームＴＢは、図２のように偏向デバイスとしてのフロントガラス２９で反射されるのではなく、ヘッドアップディスプレイデバイスの別個のコンポーネントとしての偏向デバイス２３で反射される。テストビームＴＢは、センサデバイス２６の方向に方向転換され、センサデバイス２６は、偏向デバイス２３により引き起こされる少なくとも１つの収差を検出し、及びデータを判定する。また、センサデバイス２６は、表現されるべき情報を観察する観察者２４の視野には配置されない。制御デバイス２７は、テストビームＴＢの少なくとも１つの収差を判定し及び算出し、並びに、少なくとも１つの補正信号を判定する。判定された補正信号は、制御デバイス２７から変調デバイス２８へ送信され、それにより、当該変調デバイスは投影デバイス２０により発せられる少なくとも１つの信号ビームＳＢを補正信号によって変調し、それに応じて信号ビームＳＢの波面が補正される。テストビームＴＢの検出、少なくとも１つの収差の判定、少なくとも１つの補正信号の判定、及び少なくとも１つの収差の補償は、図２について説明した通りの手続に従ってなされる。
【００９２】
投影デバイス２０により発せられる少なくとも１つの信号ビームＳＢは、変調デバイス２８による少なくとも１つの収差の補償の後に偏向デバイス２３へ向けられ、当該偏向デバイスにより可視領域Ｖへ向けて反射される。ここでも、可視領域Ｖは、観察者の少なくとも１つの眼の位置にある。
【００９３】
図３によれば、少なくとも１つの信号ビームＳＢと同様に投影デバイス２０により発せられる少なくとも１つのテストビームＴＢが、偏向デバイス２３によって観察者の方向に方向転換されるのではなく、むしろ、センサデバイス２６の方向に方向転換されるようにするために、偏向デバイス２３は、それに応じて設計されるべきである。図４は、偏向デバイス２３のあり得る例示的な実施形態を示している。偏向デバイス２３は、部分的に反射性であり、少なくとも１つの偏向要素を含む。偏向デバイス２３の偏向要素は、基板Ｓ、及び基板Ｓに取り付けられた２つの体積格子ＶＧ１、ＶＧ２を含む。体積格子は、入射光が反射する複数のブラッグ平面を有する。それらは、例えば、二光束干渉によってフォトポリマーにおいて感光され得る。光屈折性ガラス、又は、特殊ドーププラスチック、例えばY. Gritsaiらによる"Dye-doped PQ-PMMA phase holographic materials for DFB lasing"（Journal of Optics, Volume 16）において説明されているようなＰＭＭＡベースのプラスチックもまた、体積格子が感光され得るレイヤとして使用することができる。体積格子は、波長選択的かつ角度選択的であることから、本質的に、ある波長かつある入射角の光のみを偏向させ、他の波長及び／又は他の入射角の光については、偏向無しで通過できるようにする。言い換えると、これは、ある波長の光がある角度で回折させられ得ることを意味する。様々な波長、即ち、例えば情報のカラー表現のための波長について偏向デバイスを使用可能とするために、相異なる波長向けに同じレイヤへそれぞれの格子が書き込まれてもよい。例えば、青色、赤色及び緑色の波長について、それぞれ１つの体積格子が１レイヤ内に書き込まれてもよい。各体積格子は、これら波長の光が設計対象の体積格子について同じ方向に回折されるように、同じ入射角及び同じ回折角で書き込まれ得る。代替的に、相異なる波長について共通のフォトポリマーレイヤにおいてブラッグ平面が感光されてもよい。
【００９４】
偏向デバイスが２つの体積格子ＶＧ１及びＶＧ２の形式の２つの偏向要素を含む、図４に示した例示的な実施形態において、テストビームＴＢは、体積格子ＶＧ１において偏向され、信号ビームＳＢは体積格子ＶＧ２においてのみ偏向される。これが達成され得るのは、テストビームＴＢが信号ビームＳＢとは異なる波長を有するためである。例えば、テストビームＴＢは、赤外スペクトル範囲内の波長を有し、又は赤外スペクトル範囲内の波長で発せられてよく、一方で、信号ビームＳＢは、可視光スペクトル範囲内の波長を有し、又は可視光スペクトル範囲内の波長で発せられる。このようにして、偏向デバイス２３により、テストビームＴＢをセンサデバイス２６の方へ偏向し、及び信号ビームＳＢを可視領域Ｖの方へ偏向することができる。フロントガラス２９を通じて車両の内部へ入射する周囲光については、体積格子ＶＧ１及びＶＧ２は、本質的に透明であり、周囲光の偏向をもたらさない。他の実施形態において、体積格子ＶＧ１及びＶＧ２は、フロントガラス２９へ直接的に取り付けられてもよく、基板Ｓ無しで一体化されてもよい。
【００９５】
偏向デバイスのさらなる実施形態が可能である。例えば、図４における体積格子ＶＧ２の代わりに、信号ビームＳＢを反射する複数の誘電体レイヤを有するレイヤスタックが使用されてもよい。信号ビームの入射角及び反射角の大きさは等しい。そうした誘電体レイヤスタックは、波長選択的であってよく、それにより、信号ビームＳＢのみが反射され、テストビームＴＢは反射されない。当然ながら、設計を逆にすることも可能であり、即ち、体積格子ＶＧ１の代わりに、テストビームＴＢを反射し信号ビームＳＢを反射しない誘電体レイヤスタックが使用される。
【００９６】
既に触れたように、２つの体積格子ＶＧ１及びＶＧ２は、単一のレイヤ内で感光されてもよい。それら２つの体積格子ＶＧ１及びＶＧ２は、別個のレイヤで基板Ｓへ取り付けられなくてもよい。それらは、例えば、フォトポリマーレイヤに多重化することにより、共通のレイヤで基板へ取り付けられてもい。
【００９７】
２つの体積格子ＶＧ１及びＶＧ２は、偏向デバイスの設計の高い自由度を可能にする。体積格子ＶＧ１及びＶＧ２について、各ケースに当てはまることとして、光の入射角及び反射角を相違させることができ、なぜならそれはミラー要素ではなく回折格子に関連するからである。
【００９８】
体積格子ＶＧ１及び／又は体積格子ＶＧ２の代わりに、偏向デバイスにおける偏向要素として旧来のミラー要素を使用することも可能である。体積格子での偏向の代わりに、車両のフロントガラスの空気とガラスとの界面における反射が使用される。例えば、体積格子ＶＧ１を省略することができ、その場合には、代わりに、光の入射角が光の反射角と等しいという条件下で、車両のフロントガラスの空気とガラスとの界面においてテストビームが使用される。一方で、体積格子ＶＧ２を除外することも可能であり、その場合には、代わりに、光の入射角が光の反射角と等しいという条件下で、車両のフロントガラスの空気とガラスとの界面において信号ビームが使用される。
【００９９】
さらに、偏向デバイス内の偏向要素として体積格子を使用しないことも可能である。代わりに、光の入射角が光の反射角と等しいという条件下で、車両のフロントガラスの空気とガラスとの界面においてテストビーム及び信号ビームが使用される。このケースでは、しかしながら、テストビームがセンサデバイスへ向けて反射され又は偏向され、信号ビームが可視領域へ向けて反射され又は偏向されるように、少なくとも１つのテストビームを発するさらなる投影デバイスであって、少なくとも１つの信号ビームのための投影デバイスとは別の位置に提供される当該さらなる投影デバイスが、ヘッドアップディスプレイデバイス内に提供されるべきである。
【０１００】
少なくとも１つのテストビーム及び少なくとも１つの信号ビームを切り離して発するための２つの投影デバイスを備えるそうしたヘッドアップディスプレイデバイスが図５に示されている。そこには、２つの投影デバイス４０及び５０が示されている。図２及び図３において説明したように、投影デバイス４０は、表現されるべき情報と共に変調された少なくとも１つの信号ビームを発する。一方で、投影デバイス５０は、少なくとも１つのテストビームを発し、したがって、テスト投影デバイスとして設計され、以下のように言及される。図５では、フロントガラス４９の領域内に配置される偏向デバイス４３もまた提供される。好適には、この偏向デバイス４３は、車両又は輸送手段のフロントガラス４９へ直接的に取り付けられてもよい。ここでも、あるケースにおいて、偏向デバイス４３は、空間の節約及び安定的な配置を達成する目的で、フロントガラス４９へ少なくとも部分的に一体化されてもよい。
【０１０１】
テスト投影デバイス５０は、偏向デバイス４３により引き起こされる少なくとも１つの収差を判定するための少なくとも１つのテストビームＴＢを発し、そのテストビームを偏向デバイス４３の方へ向かわせる。すると、このテストビームＴＢは、やはりヘッドアップディスプレイデバイスの別個のコンポーネントとして図５において設計されている偏向デバイス４３で、センサデバイス４６の方向へ偏向され、センサデバイス４６は、引き起こされる少なくとも１つの収差を検出し、そこからデータを判定する。ここでも、センサデバイス４６は、表現されるべき情報を観察する観察者４４の視野には配置されない。制御デバイス４７は、テストビームＴＢの少なくとも１つの収差を判定し及び算出し、並びに、少なくとも１つの補正信号を判定する。このようにして判定された補正信号は、制御デバイス４７からインタフェース５２へ送信される。図５から明らかなように、さらなる変調デバイス５１が、光の伝播方向においてテスト投影デバイス５０の後に提供され及び配置される。少なくとも１つの補正信号を受信するインタフェース５２が、少なくとも１つの信号ビームを発する投影デバイス４０に関連付けられる変調デバイス４８と、テスト投影デバイス５０に関連付けられるさらなる変調デバイス５１との間に提供される。さらなる変調デバイス５１によって、判定された少なくとも１つの補正信号が、投影デバイス４０により発せられるべき少なくとも１つの信号ビームの波面において引き起こされる収差を補償することになるか否かをチェックすることができる。この目的のために、少なくとも１つの補正信号は、当該インタフェースからさらなる変調デバイス５１へ送信され、テスト投影デバイス５０により発せられるテストビームＴＢとの変調が行われる。この変調されたテストビームＴＢは、偏向デバイス４３へ、そしてそこからセンサデバイス４６へ向けられる。センサデバイス４６は、入射するテストビームＴＢのデータを再び判定し、制御デバイス４７は、依然として現れるかもしれない収差をそこから算出し、さらなる補正信号を算出するが、これは、センサデバイス４６及び制御デバイス４７が所要の光ビームからのずれを検出し及び算出した場合である。この補正信号のチェックが、所要の値に対応するようになるまで遂行されてもよい。補正信号は、所要の補正信号に対応する場合、制御デバイス４７及びインタフェース５２によって変調デバイス４８へ送信され、それにより、その変調デバイスによって、投影デバイス４０により発せられる少なくとも１つの信号ビームＳＢがその補正信号を用いて変調され、よって信号ビームＳＢの波面がそれに応じて補正されるようになる。テストビームＴＢの検出、少なくとも１つの収差の判定、少なくとも１つの補正信号の判定、及び少なくとも１つの収差の補償は、概して、図２について説明した通りの手続に従ってなされる。
【０１０２】
変調デバイス４８による少なくとも１つの収差の補償の後に、投影デバイス４０により発せられる少なくとも１つの信号ビームＳＢは、変調デバイス４３へ向かい、そこで観察者４４の少なくとも１つの眼が位置する可視領域Ｖの方へ反射されて、生成された情報が観察者の視野内で表現される。
【０１０３】
さらなる変調デバイス５１は、必ずしも必要ではない。センサデバイス４６での少なくとも１つのテストビームＴＢの検出、及び、制御デバイス４７での少なくとも１つの補正信号の判定の後、少なくとも１つの補正信号を変調デバイス４８へのみ送信することもできる。このケースでは、少なくとも１つの補正信号が少なくとも１つの収差を十分に補償するのかのチェックは省略される。この場合、ヘッドアップディスプレイデバイスは、より少ないコンポーネントしか有さず、したがってよりコスト効率的に設計され得る。
【０１０４】
少なくとも１つのテストビームのみを発するために、投影デバイス４０とは別個のテスト投影デバイス５０を提供することで、個別の光ビームを別々に発することが容易となる。これは、偏向デバイスに対してテストビーム及び信号ビームの入射角を相違させることによって、より簡易な手法でそれらビームを偏向デバイスによって相異なる方向に偏向させることが可能であり得ることを意味する。
【０１０５】
本発明に係るヘッドアップディスプレイの追加的で例示的な実施形態が提供されてもよい。それらについて以下で説明し及び記述する。
【０１０６】
図２〜図５に係るヘッドアップディスプレイデバイスは、少なくとも１つのテストビームと、輸送手段のフロントガラスの領域内の偏向デバイス又はフロントガラス自体の収差を検出するためのセンサデバイスとを提供する。しかしながら、図２〜図５に係るセンサデバイスの代わりに又はそれに加えて、本発明に係るヘッドアップディスプレイデバイスにおいて使用され得るさらなる測定の原理及びセンサが使用されてもよい。
【０１０７】
例えば、少なくとも１つの収差の検出のために、温度センサが使用されてもよい。温度センサは、概して、偏向デバイス、その土台、又はそこに接続される他のコンポーネントの温度を測定する。偏向デバイスの変形をそれにより判定することができ、少なくとも１つの収差を算出することができ、又は、その収差を値のテーブル内のデータセットから取得することができる。偏向デバイスの機械的な張力を検出する機械式センサもまた使用されてよい。値のテーブルによる計算又は事前に定義されるデータセットによる計算によって、制御デバイスは、判定したデータから、偏向デバイスの少なくとも１つの収差の現在値を判定する。
【０１０８】
さらに、光パターン投影系もまた使用され得る。この光パターン投影系は、偏向デバイスの面上又は面内に、少なくとも１つの収差を判定するための光パターンを生成する。このケースにおいて、当該光パターンは、偏向デバイスの面上又は面内に、縞状に又は格子状に投影され得る。カメラは、例えば縞又は格子である光パターンの形状を記録し、光パターンの所要の形からの当該光パターンの形状のずれから偏向デバイスの少なくとも１つの収差が判定され又は算出され得る。
【０１０９】
偏向デバイスにより引き起こされる少なくとも１つの収差を判定する目的で、マーカが偏向デバイスへ取り付けられてもよい。偏向デバイス上のそれらマーカの位置が、カメラ系により検出され及び測定されてもよい。マーカの所要の位置からの、それらマーカの位置の判定されたずれから、偏向デバイスの少なくとも１つの収差が算出されてもよい。
【０１１０】
次いで、図２〜図５に係るセンサデバイス、温度センサ、機械式センサ、光パターン投影系、及び／又は偏向デバイス上のマーカ群のいずれにより少なくとも１つの収差が判定されるかに関わらず、制御デバイスによって少なくとも１つの補正信号がそれぞれ判定され得る。
【０１１１】
図２〜図５によれば、判定される少なくとも１つの収差は、変調デバイスにおいて補償され又は補正される。代替的に、又は変調デバイスに加えて、偏向デバイスにより引き起こされる少なくとも１つの収差は、以下に説明するオプションによって補償され又は補正されてもよい。
【０１１２】
例えば、本発明に係るヘッドアップディスプレイデバイスがホログラフィックヘッドアップディスプレイデバイスとして設計され、投影デバイスの空間光変調デバイスにホログラムが符号化される場合には、少なくとも１つの収差を、ホログラム計算において補償してもよい。よって、上記変調デバイスに加えて又はその代わりに、少なくとも１つの収差を、空間光変調デバイス上の符号化ホログラムにおいて直接的に補償してもよい。この目的のために、少なくとも１つの収差が、ホログラム計算の期間中に利用可能に維持され、投影デバイスにおいて補償される。ホログラフィックヘッドアップディスプレイデバイスにおいて、少なくとも１つの収差の補償は、少なくとも１つの変調デバイスによってなされてもよく、ホログラム計算中の補償に加えて少なくとも１つの変調デバイスによって補償が行われてもよい。
【０１１３】
さらに、少なくとも１つの収差を直接的に２次元画像又は立体視画像において補償することも可能である。
【０１１４】
加えて、観察者の眼の位置が少なくとも１つの収差の補償の際に考慮されてもよい。このケースにおいて、少なくとも１つの収差を補償する際に、眼位センサ系により検出することのできる観察者の眼の位置が考慮される。この場合、少なくとも１つの収差は、その時点の眼の位置のために局所的に補償される。それにより、眼の位置を考慮しないグローバルな補償のケースよりも良好な少なくとも１つの収差の補償が達成され得る。
【０１１５】
加えて、偏向デバイスにより引き起こされる少なくとも１つの収差の補償は、イメージングビーム経路と共に照明ビーム経路に影響するであろう。照明ビーム経路では、結果として、観察者平面内の可視領域の位置、形状及びサイズが最適化され得る。イメージングビーム経路では、例えば発生する可能性のある歪み及び表現される情報の解像度などに関して、表現される情報の画像品質が最適化され得る。これは、主としてホログラフィックヘッドアップディスプレイデバイスに関係するであろう。
【０１１６】
加えて、実施形態又は例示的な実施形態のさらなる組み合わせが可能である。最後に、具体的に特別に注記すべきこととして、上で説明した例示的な実施形態は、所要の教示を説明するためにのみ用いられ、但しその教示はそれら例示的な実施形態には限定されない。
【０１１７】
例えば、上記少なくとも１つの変調デバイスが特別に設計されてもよい。上記少なくとも１つの変調デバイスは、とりわけ、球面収差といった回転対称な収差を補正する目的で、リング形状の、又は円形に配置された複数の液体セルを有してもよい。
【図１】
2021505952.tif 000003
【図２】
2021505952.tif 000004
【図３】
2021505952.tif 000005
【図４】
2021505952.tif 000006
【図５】
2021505952.tif 000007
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
観察者の視野内で情報を表現するためのヘッドアップディスプレイデバイスであって、
少なくとも１つの投影デバイスと、
入射する光ビームが偏向される少なくとも１つの偏向要素を含む偏向デバイスと、
前記偏向デバイスへ入射する少なくとも１つのテストビームのデータを検出するためのセンサデバイスと、
前記偏向デバイスにより引き起こされる少なくとも１つの収差を判定し、実時間で少なくとも１つの補正信号を判定するための制御デバイスと、
を備えるヘッドアップディスプレイデバイス。
【請求項２】
請求項１に記載のヘッドアップディスプレイデバイスであって、少なくとも１つの変調デバイスが提供され、前記少なくとも１つの変調デバイスは、前記観察者の方向に向けられた信号ビームの前記少なくとも１つの補正信号での実時間での補正のために提供される、ヘッドアップディスプレイデバイス。
【請求項３】
請求項１又は２のいずれか１項に記載のヘッドアップディスプレイデバイスであって、前記投影デバイスは、前記少なくとも１つの補正信号での実時間での信号ビームの補正のために提供され、前記投影デバイスのために提供されるホログラムのホログラム計算のケースにおいて、前記少なくとも１つの補正信号が包含可能である、ヘッドアップディスプレイデバイス。
【請求項４】
請求項１〜３のいずれか１項に記載のヘッドアップディスプレイデバイスであって、前記偏向デバイスの前記少なくとも１つの偏向要素は、フロントガラスとして設計される、ヘッドアップディスプレイデバイス。
【請求項５】
請求項１〜４のいずれか１項に記載のヘッドアップディスプレイデバイスであって、前記偏向デバイスの前記少なくとも１つの偏向要素は、波長選択的又は角度選択的となるように設計される、ヘッドアップディスプレイデバイス。
【請求項６】
請求項１〜５のいずれか１項に記載のヘッドアップディスプレイデバイスであって、前記少なくとも１つの偏向要素は、体積格子として、又は基板へ取り付けられた体積格子として設計される、ヘッドアップディスプレイデバイス。
【請求項７】
請求項１〜３のいずれか１項に記載のヘッドアップディスプレイデバイスであって、前記偏向デバイスは、少なくとも２つの偏向要素を含む、ヘッドアップディスプレイデバイス。
【請求項８】
請求項７に記載のヘッドアップディスプレイデバイスであって、前記少なくとも２つの偏向要素は、体積格子として設計される、ヘッドアップディスプレイデバイス。
【請求項９】
請求項７に記載のヘッドアップディスプレイデバイスであって、前記少なくとも２つの偏向要素のうちの一方は体積格子として設計され、前記少なくとも２つの偏向要素のうちの他方はミラー要素として設計される、ヘッドアップディスプレイデバイス。
【請求項１０】
請求項１〜３のいずれか１項に記載のヘッドアップディスプレイデバイスであって、前記少なくとも１つの偏向要素は、誘電レイヤを有するレイヤスタックとして設計される、ヘッドアップディスプレイデバイス。
【請求項１１】
請求項１〜１０のいずれか１項に記載のヘッドアップディスプレイデバイスであって、前記投影デバイスは、少なくとも１つの光源と、少なくとも１つの空間光変調デバイスと、光学系と、を有する照明デバイスを含む、ヘッドアップディスプレイデバイス。
【請求項１２】
請求項１１に記載のヘッドアップディスプレイデバイスであって、前記空間光変調デバイスへホログラムが符号化される、ヘッドアップディスプレイデバイス。
【請求項１３】
請求項１〜１２のいずれか１項に記載のヘッドアップディスプレイデバイスであって、前記投影デバイスは、信号ビームを発し及び少なくとも１つのテストビームを発するために提供される、ヘッドアップディスプレイデバイス。
【請求項１４】
請求項２に記載のヘッドアップディスプレイデバイスであって、前記少なくとも１つの変調デバイスは、前記少なくとも１つの投影デバイスと前記偏向デバイスとの間のビーム経路内に配置され、前記少なくとも１つの変調デバイスは、判定された前記少なくとも１つの補正信号に応じて入射する信号ビームを変調する少なくとも１つの変調要素を含む、ヘッドアップディスプレイデバイス。
【請求項１５】
請求項２又は１４のいずれか１項に記載のヘッドアップディスプレイデバイスであって、前記少なくとも１つの変調デバイスは、前記少なくとも１つの補正信号を前記変調デバイスへ送信する前記制御デバイスによって制御可能である、ヘッドアップディスプレイデバイス。
【請求項１６】
請求項２、１４又は１５のいずれか１項に記載のヘッドアップディスプレイデバイスであって、前記少なくとも１つの変調デバイスは、液晶を含む位相変調器として設計され、前記液晶の向きは、局所的な電場によって制御可能である、ヘッドアップディスプレイデバイス。
【請求項１７】
請求項１６に記載のヘッドアップディスプレイデバイスであって、前記液晶は、複数のセルで提供され、前記液晶のセルは、前記少なくとも１つの変調デバイスにおいて回転対称に配置される、ヘッドアップディスプレイデバイス。
【請求項１８】
請求項２、１４又は１５のいずれか１項に記載のヘッドアップディスプレイデバイスであって、前記少なくとも１つの変調デバイスは、反射型で設計され、好適にはＭＥＭＳ変調デバイスとして設計される、ヘッドアップディスプレイデバイス。
【請求項１９】
請求項１〜１８のいずれか１項に記載のヘッドアップディスプレイデバイスであって、前記センサデバイスは、前記観察者の前記視野の外側に配置される、ヘッドアップディスプレイデバイス。
【請求項２０】
請求項１〜１９のいずれか１項に記載のヘッドアップディスプレイデバイスであって、前記センサデバイスは、シャックハルトマンセンサの原理に従って設計され、又は前記少なくとも１つのテストビームの前記検出のためのカメラとして設計される、ヘッドアップディスプレイデバイス。
【請求項２１】
請求項１〜１９のいずれか１項に記載のヘッドアップディスプレイデバイスであって、前記センサデバイスは、前記偏向デバイスの熱応力及び／又は機械的応力を測定するために提供される、ヘッドアップディスプレイデバイス。
【請求項２２】
請求項１〜１９のいずれか１項に記載のヘッドアップディスプレイデバイスであって、前記偏向デバイスの面上又は面内に光パターンを生成するために、光パターン投影系が提供される、ヘッドアップディスプレイデバイス。
【請求項２３】
請求項１〜２２のいずれか１項に記載のヘッドアップディスプレイデバイスであって、前記偏向デバイス上に複数のマーカが提供され、前記マーカの位置がカメラによって判定可能である、ヘッドアップディスプレイデバイス。
【請求項２４】
請求項１〜２３のいずれか１項に記載のヘッドアップディスプレイデバイスであって、前記少なくとも１つのテストビームは、信号ビームとは異なる波長を有する、ヘッドアップディスプレイデバイス。
【請求項２５】
請求項２４に記載のヘッドアップディスプレイデバイスであって、前記少なくとも１つのテストビームは、赤外波長範囲内の波長を有し、前記信号ビームは、可視光波長範囲内の波長をそれぞれ有する、ヘッドアップディスプレイデバイス。
【請求項２６】
請求項１〜２５のいずれか１項に記載のヘッドアップディスプレイデバイスであって、テスト投影デバイスとして設計されるさらなる投影デバイスが提供され、前記テスト投影デバイスは、前記少なくとも１つのテストビームを発するために提供される、ヘッドアップディスプレイデバイス。
【請求項２７】
請求項２６に記載のヘッドアップディスプレイデバイスであって、前記さらなる投影デバイスと前記偏向デバイスとの間のビーム経路内に配置されるさらなる変調デバイスが提供される、ヘッドアップディスプレイデバイス。
【請求項２８】
請求項１〜２７のいずれか１項に記載のヘッドアップディスプレイデバイスであって、観察者の眼が位置している観察者平面内に仮想的な可視領域が提供され、それにより呈示される前記情報が前記視野内で観察可能である、ヘッドアップディスプレイデバイス。
【請求項２９】
請求項１〜２８のいずれか１項に記載のヘッドアップディスプレイデバイスであって、前記ヘッドアップディスプレイデバイスは、呈示される前記情報をホログラフィックに生成可能なホログラフィックヘッドアップディスプレイデバイスとして設計される、ヘッドアップディスプレイデバイス。
【請求項３０】
少なくとも１つの投影デバイス、偏向デバイス、センサデバイス、及び制御デバイスにより、観察者の視野内で情報を表現するための方法であって、
前記少なくとも１つの投影デバイスから射出され前記偏向デバイスへ入射する少なくとも１つのテストビームのデータを、前記センサデバイスによって検出することと、
前記偏向デバイスにより引き起こされる少なくとも１つの収差を、前記制御デバイスによって判定することと、
少なくとも１つの補正信号を、前記少なくとも１つの収差の前記判定に基づいて、実時間で判定することと、
を含み、前記観察者の方向に向けられるべき光ビームが、前記少なくとも１つの補正信号で変調され、前記偏向デバイスへ入射し、信号ビームとして前記観察者の方向に向けられる、方法。
【請求項３１】
請求項３０に記載の方法であって、前記補正信号は、前記投影デバイスにより発せられる各信号ビームに、少なくとも１つの変調デバイスにより加算され、前記信号ビームは、所要の信号ビームに応じて実時間で変調され、前記偏向デバイスにより前記観察者へ向けられる、方法。
【請求項３２】
請求項３０又は３１に記載の方法であって、観察者平面内の前記観察者の眼の位置が、眼位センサ系により検出され、前記偏向デバイスにより引き起こされる少なくとも１つの収差が、前記制御デバイスによって判定され、少なくとも１つの補正信号が、前記観察者の前記眼の位置について、実時間で前記少なくとも１つの収差の前記判定に基づいて判定される、方法。
【国際調査報告】
2021505952.tif 000008
2021505952.tif 000009
2021505952.tif 000010
2021505952.tif 000011
2021505952.tif 000012
2021505952.tif 000013